(57)【特許請求の範囲】
【請求項１】
繊維長が１〜８０ｍｍの原糸から製する支持体と膏体及び口径φ１０〜１２００μｍの穴あけ加工を施した剥離性フィルムから構成されるシート状貼付剤。
【請求項２】
剥離性フィルムが縦横それぞれ整列した位置に穴あけ加工を施したものである請求項１に記載のシート状貼付剤。
【請求項３】
縦横それぞれ隣り合う穴中心間の間隔が１００〜２０００μｍである請求項２に記載のシート状貼付剤。
【請求項４】
剥離性フィルムの厚みが２０〜１５０μｍである請求項１〜３の何れかに記載のシート状貼付剤。
【請求項５】
剥離性フィルムの引張強さの最大強度が１０〜１００Ｎ／５０ｍｍである請求項１〜４の何れかに記載のシート状貼付剤。
【請求項６】
剥離性フィルムがポリエチレン、ポリプロピレン、ポリエチレンテレフタレート、エチレン−酢酸ビニル共重合体、エチレン−ビニルアルコール共重合体、塩化ビニル、ポリウレタン、ポリエステル、ポリアミドなどの素材から選ばれる１種若しくは２種以上を組み合わせ成型したフィルムである、請求項１〜５の何れかに記載のシート状貼付剤。
【請求項７】
支持体の引張強さの最大強度が３〜５０Ｎ／５０ｍｍである請求項１〜６の何れかに記載のシート状貼付剤。
【請求項８】
支持体の最大荷重時伸度が初期長に対し３〜１００％である請求項１〜７の何れかに記載のシート状貼付剤。
【請求項９】
支持体が目付２０〜２００ｇ／ｍ２である請求項１〜８の何れかに記載のシート状貼付剤。
【請求項１０】
支持体がポリエチレン、ポリプロピレン、ポリエチレンテレフタレート、エチレン−酢酸ビニル共重合体、塩化ビニル、ポリウレタン、ポリエステル、ポリアミド、レーヨン、パルプ、綿などの素材から選ばれる１種若しくは２種以上を組み合わせて、絡合、熱融着、圧着或いはバインダー接着により製した不織布である請求項１〜９の何れかに記載のシート状貼付剤。
【請求項１１】
シート状貼付剤の引張強さの最大強度が２０〜１５０Ｎ／５０ｍｍである請求項１〜１０の何れかに記載のシート状貼付剤。
【請求項１２】
シート状貼付剤の引裂強さの最大荷重が１〜１５Ｎである請求項１〜１１の何れかに記載のシート状貼付剤。
【請求項１３】
シート状貼付剤が湿布用貼付剤である請求項１〜１２の何れかに記載のシート状貼付剤。
【発明の詳細な説明】
【０００１】
【発明の属する技術分野】
本発明はシート状貼付剤に関するものである。更に詳細には体、腰、腕、足、顔等に用いる湿布用貼付剤であり、剥離用フィルムが貼着した製品状態で必要なサイズを容易に手でちぎって使用することができ、切り残り部分も安定に使用・保存できる化粧品用、医薬品用又は医薬部外品用シート状貼付剤に関するものである。
【０００２】
【従来の技術】
シート状貼付剤は腰痛、肩こり、打ち身、捻挫等の治療に用いるテープ剤や湿布剤、足の疲れを癒すために用いる湿布剤、顔や体の美容を目的としたシート状パック剤等が知られている。例えば、特公平３−１６９８９号公報には、ポリアクリル酸、ポリアクリル酸塩、セルロース誘導体、多価アルコール及び多価金属化合物からなる水性粘着剤組成物が、特開平８−２９１０５７号公報には、ヒアルロン酸ナトリウム、コンドロイチン硫酸ナトリウム、乳酸塩、ピロリドンカルボン酸、尿素、アロエエキス及びシソ葉エキスから選ばれる保湿成分を配合してなる薬効成分を含まないパップ剤が、また、特開平１０−２７９４７３号公報には含水粘着剤層中の成分による清涼感等の付与効果が向上され、且つ使用性に優れる足の疲れやむくみ等の解消を目的とするフットケア用シート剤等が開示されている。一方、特公昭５０−１３３０６号公報、特開平３−４７８８５号公報、特開平９−３２４１５５号公報には手切れ性を有する粘着テープ、特開２００２−３６４０６では手切れ性に優れた積層フィルムとアクリル系粘着剤、ゴム系粘着剤、ポリオレフィン系粘着剤等を塗布した粘着テープが開示されている。
しかしながら、これら文献等で紹介されている従来のちぎれ性を有するシート状貼付剤は剥離用フィルムを貼着した製品状態での紹介はほとんど例がなく、しかも容易に手で切れない、切りたい位置で切れずサイズが適当でない、手でちぎった場合の破れや切断面のホツレが生じて外観的に好ましくない、切り残り部分が安定に使用・保存できない等の問題を有していた。また一部では支持体、膏体及び剥離性フィルムを貫通するミシン目等を一定間隔で設けて切断する方法が紹介されているが、必要な時に、必要な患部に、必要なサイズを容易に手でちぎって無駄なく使用したいというニーズを満足させ得るものでは到底なかった。
【０００３】
【発明が解決しようとする課題】
本発明は上記従来の問題点を解決すべく、肌に対して安全で、使用感が良く、且つ患部に対する冷却作用は勿論、優れた作用効果を示し、しかも剥離用フィルムが貼着した製品状態で必要なサイズを容易に手でちぎって使用することができ、切り残り部分も安定に使用・保存できるシート状貼付剤を提供することを目的とするものである。
【０００４】
【課題を解決するための手段】
上記目的を達成するために本発明のシート状貼付剤は以下の構成よりなる。
「繊維長が１〜８０ｍｍの原糸から製する支持体と膏体及び口径φ１０〜１２００μｍの穴あけ加工を施した剥離性フィルムから構成されるシート状貼付剤。」
【０００５】
【発明の実施の形態】
本発明のシート状貼付剤で用いられる剥離性フィルムは、口径φ１０〜１２００μｍの穴あけ加工を施したフィルムであることを特徴とするが、穴の口径は、より好ましくはφ２０〜５００μｍである。穴の口径がφ２０μｍ以下になるにつれ、フィルムの切断強度上昇による手切れ性悪化を招いたり、破れや切断面のホツレを生じやすくなる傾向が見られ、φ１０μｍ未満では特にその傾向が著しいので好ましくない。また穴の口径がφ５００μｍ以上になるにつれ、切断強度低下による破れなどの形状破壊を招いたり、製造時の作業性やライン適性の低下、染み出しや揮発蒸散による安定性の低下を招く傾向が見られ、φ１２００μｍを越えると特にその傾向が著しいので好ましくない。
【０００６】
本発明のシート状貼付剤で用いられる剥離性フィルムは、縦横それぞれ整列した位置に上記穴あけ加工を施したものであることが好ましい。
また、縦横それぞれ隣り合う穴中心間の間隔が１００〜２０００μｍであることが好ましく、より好ましくは縦横それぞれ隣り合う穴中心間の間隔が５００〜１５００μｍである。縦横それぞれ隣り合う穴中心間の間隔が５００μｍ以下になるにつれ、切断強度低下による破れなどの形状破壊を招いたり、製造時の作業性やライン適性の低下、揮発蒸散による安定性の低下を招く傾向が見られ、１００μｍ未満では特にその傾向が著しいので好ましくない。また、縦横それぞれ隣り合う穴中心間の間隔が１５００μｍ以上になるにつれ、フィルムの切断強度上昇による手切れ性悪化を招いたり、破れや切断面のホツレを生じやすくなる傾向が見られ、２０００μｍを越えると特にその傾向が著しいので好ましくない。即ち、加工した穴の口径と縦横それぞれ隣り合う穴中心間の間隔のバランスにより、手切れ性が著しく向上されるものである。
【０００７】
本発明のシート状貼付剤で用いられる剥離性フィルムは、フィルムの厚みが２０〜１５０μｍであるものが好ましく、より好ましくは厚みが４０〜１２０μｍである。厚みが４０μｍ以下になるにつれ、切断強度低下による破れなどの形状破壊を招いたり、製造時の作業性やライン適性の低下を招く傾向が見られ、２０μｍ未満では特にその傾向が著しいので好ましくない。また厚みが１２０μｍ以上になるにつれ、フィルムの切断強度上昇による手切れ性悪化を招いたり、破れや切断面のホツレを生じやすくなる傾向が見られ、１５０μｍを越えると特にその傾向が著しいので好ましくない。
【０００８】
本発明のシート状貼付剤で用いられる剥離性フィルムは、引張強さの最大強度が１０〜１００Ｎ／５０ｍｍであるものが好ましく、より好ましくは引張強さの最大強度が１５〜６５Ｎ／５０ｍｍである。引張強さの最大強度が１５Ｎ／５０ｍｍ以下になるにつれ、切断強度低下による破れなどの形状破壊を招いたり、製造時の作業性やライン適性の低下を招く傾向が見られ、１０Ｎ／５０ｍｍ未満では特にその傾向が著しいので好ましくない。また引張強さの最大強度が６５Ｎ／５０ｍｍ以上になるにつれ、フィルムの切断強度上昇による手切れ性悪化を招いたり、破れや切断面のホツレを生じやすくなる傾向が見られ、１００Ｎ／５０ｍｍを越えると特にその傾向が著しいので好ましくない。なお、穴あけ加工した剥離性フィルムの引張強さはＪＩＳ  Ｌ１９１２『医療用不織布試験方法』の「引張強さ及び伸び率」記載の方法に準じ、試料幅５０ｍｍ、つかみ間隔５０ｍｍ及び引張速度３００ｍｍ／ｍｉｎの条件で測定したときの値を示したものである。
【０００９】
本発明のシート状貼付剤で用いられる剥離性フィルムの材質としては、ポリエチレン、ポリプロピレン、ポリエチレンテレフタレート、エチレン−酢酸ビニル共重合体、エチレン−ビニルアルコール共重合体、塩化ビニル、ポリウレタン、ポリエステル、ポリアミドなどの素材が挙げられ、これらの素材から選ばれる１種若しくは２種以上を組み合わせ成型したフィルムが本発明のシート状貼付剤用剥離性フィルムの材料として用いられる。
【００１０】
これら、本発明のシート状貼付剤で用いられる剥離性フィルムには剥離性向上、貼付性向上を目的とする割線、ミシン目、印刷、離型処理等の加工や、外観性向上、ズレ防止を目的とするエンボス加工等が適宜可能である。
【００１１】
本発明のシート状貼付剤で用いられる支持体としては、引張強さの最大強度が３〜５０Ｎ／５０ｍｍであるものが好ましく、より好ましくは５〜４０Ｎ／５０ｍｍである。支持体引張強さの最大強度が５Ｎ／５０ｍｍ以下になるにつれ、破れなどの形状破壊を招く傾向が見られ、３Ｎ／５０ｍｍ未満では特にその傾向が著しいので好ましくない。また支持体引張強さの最大強度が４０Ｎ／５０ｍｍ以上になるにつれ、手切れ性悪化を招いたり支持体の伸縮性不良による使用感低下（圧迫感など）を招く傾向が見られ、５０Ｎ／５０ｍｍを越えると特にその傾向が著しいので好ましくない。
【００１２】
このとき、支持体の最大荷重時伸度としては初期長に対し３〜１００％であることが好ましく、より好ましくは３〜５０％である。支持体の最大荷重時伸度が３％未満では破れなどの形状破壊や使用感低下（圧迫感など）を招く傾向が著しいので好ましくない。また、支持体の最大荷重時伸度が５０％以上になるにつれ、たるみ・しわよりなどの形状破壊や手切れ性悪化を招く傾向が見られ、１００％を越えると特にその傾向が著しいので好ましくない。なお、支持体の引張強さと最大荷重時伸度はＪＩＳ  Ｌ１９１２『医療用不織布試験方法』の「引張強さ及び伸び率」記載の方法に準じ、試料幅５０ｍｍ、つかみ間隔５０ｍｍ及び引張速度３００ｍｍ／ｍｉｎの条件で測定したときの値を示したものである。
【００１３】
更に、支持体の目付は２０〜２００ｇ／ｍ２であることが好ましく、より好ましくは４０〜１２０ｇ／ｍ２である。支持体の目付が４０ｇ／ｍ２以下になるにつれ、破れなどの形状破壊や膏体塗布時の染み出しによる外観不良や成型不良を招く傾向が見られ、２０ｇ／ｍ２未満では特にその傾向が著しいので好ましくない。また支持体の目付が１２０ｇ／ｍ２以上になるにつれ、支持体の伸縮性不良や柔軟性不良による使用感低下や手切れ性悪化、更にはコストアップを招く傾向が見られ、２００ｇ／ｍ２を越えると特にその傾向が著しいので好ましくない。
更にまた、支持体の色については特に限定されないが、製剤イメージに大きく影響を与え、使用感や肌の活性化感の向上につながるものであり、白色、肌色、黄色、赤色、橙色、緑色、青色、ピンク色、水色、茶色等が挙げられ、必要に応じ濃淡を調整したものが好ましい。また印刷やエンボス等の加工も適宜可能である。
【００１４】
本発明のシート状貼付剤で用いられる支持体の材質としては、ポリエチレン、ポリプロピレン、ポリエチレンテレフタレート、エチレン−酢酸ビニル共重合体、塩化ビニル、ポリウレタン、ポリエステル、ポリアミド、レーヨン、パルプ、綿などの素材が挙げられ、これらの素材から選ばれる１種若しくは２種以上を組み合わせて、絡合、熱融着、圧着或いはバインダー接着にて製した不織布が本発明のシート状貼付剤用支持体の材料として用いられる。
【００１５】
このとき使用する素材原糸の繊維長としては、通常１〜８０ｍｍ、より好ましくは１０〜５０ｍｍである。繊維長が１０ｍｍ以下になるにつれ、支持体の破断強度低下による破れなどの形状破壊を招いたり、製造時の作業性やライン適性の低下を招く傾向が見られ、１ｍｍ未満では特にその傾向が著しいので好ましくない。また繊維長が５０ｍｍ以上になるにつれ、支持体の破断強度上昇による手切れ性悪化を招いたり、切断面のホツレを生じやすくなる傾向が見られ、８０ｍｍを越えると特にその傾向が著しいので好ましくない。特に不織布の製法として短い繊維同士を熱融着し製した場合に手切れ性が著しく向上されるものである。
【００１６】
本発明のシート状貼付剤は、上記本発明に係る支持体に膏体を塗布し、この膏体層の表面に更に前記本発明に係る剥離性のフイルムを被覆することで製剤の安定性を保持している。
【００１７】
本発明のシ−ト状貼付剤において、支持体に塗布する膏体の基剤としては、例えば、保湿剤 、水、水溶性高分子、架橋剤、防腐剤等が挙げられる。また、必要に応じ薬効成分、美肌成分、保湿成分、酸化防止剤、粘着付与剤、溶解剤、色素、香料、界面活性剤、紫外線吸収剤、無機充填剤及びＰＨ調整剤等を配合することが出来る。
【００１８】
保湿剤としてはグリコール類及び多価アルコール類のいずれか単独或いは両者を組み合わせて用いることができる。保湿剤の基剤全体量に占める配合量は１〜５０重量％、好ましくは５〜３０重量％、より好ましくは５〜２５重量％である。配合量が５重量％以下になるにつれ、製剤の粘着性や凝集性、使用前における保水性及び保型性の低下やゲルの不均一化、作業性の低下、使用時の使用感の低下を招く傾向が認められ、１重量％未満では特にその傾向が著しいので好ましくない。また配合量が２５重量％以上になるにつれ、製剤の粘着性や凝集性、使用前の保水性及び保型性が低下する。また作業性の低下や使用時の使用感の低下を招く傾向が見られ、５０重量％を越えると特にその傾向が著しいので好ましくない。
【００１９】
なお、保湿剤であるグリコ−ル類は水溶性高分子、保湿成分、架橋剤、美肌成分、防腐剤等の分散・溶解剤或いは可塑剤として用いられるとともに、水の放出性や揮散性を促進させることができる。ここであげるグリコール類はポリエーテルの構造を有し、一般に用いられる低分子量の多価アルコールと比較して水酸基が少ないため親水性が劣るので、この性質を利用することにより、水を除いた基剤成分の臨界相対湿度を低下させることができ、使用時において、より多くの水を外部に放出することができる。その結果として肌に潤いを与え、また外部に水が揮散することにより気化熱を奪い、顔の火照りや炎症を抑えると同時に心地よい清涼感を与えるものである。また、粘度の温度依存性が小さく、製剤中に配合したときにも、環境変化に左右されない安定な保型性を示すことができる。ポリエーテルの構造を有するグリコール類としては、平均分子量が２００〜６００のポリエチレングリコールと平均分子量が５００〜３０００のポリプロピレングリコールが好ましく、これらの１種若しくは２種以上を配合し用いることができる。
【００２０】
また、保湿剤である多価アルコール類は水溶性高分子、保湿成分、架橋剤、美肌成分、防腐剤等の分散・溶解剤或いは可塑剤として用いられるとともに、水の放出性や揮散性を抑制させることができる。ここであげる多価アルコール類は１分子中２〜３個の水酸基を持つ低分子量の多価アルコールであり、親水性に優れるので、水を除いた基剤成分の臨界相対湿度を向上させることができ、使用時において、水の放出や揮散を抑制することができる。多価アルコール類としては、プロピレングリコール、１，３−ブチレングリコール及びグリセリンが好ましく、これらの１種若しくは２種以上を配合し用いることができる。これら保湿剤におけるグリコール類及び/又は多価アルコール類と水との配合バランスにより、肌に対する適度な保湿性と粘着性を与え、また貼付時の心地よい清涼感は勿論、剥離後の使用実感が著しく向上されるものである。
【００２１】
水としては、精製水や滅菌水、天然水が用いられる。水は水溶性高分子、保湿成分、架橋剤、防腐剤等の分散・溶解剤として働き、特に保湿剤であるグリコ−ル類及び多価アルコールを製剤中均一に分散・溶解させるために重要である。更には、水自身も使用時及び使用後の使用感を著しく向上させ、また保湿成分とともに皮膚へ移行し潤いやハリを与えるなどの効果をもたらすものである。このため水の配合量は３０〜９５重量％、好ましくは６５〜９０重量％、より好ましくは７０〜８５重量％と多量に添加する必要がある。多量の水を製剤中に含有させることにより製剤自体の相対湿度を高めることができ、使用時において多くの水を効率よく外部に排出することが可能となり、結果として肌に潤いを与え、また外部に水が揮散することにより気化熱を奪い、心地よい清涼感を与えることができる。水の配合量が７０重量％以下になるにつれ、製剤の粘着性や使用前における保水性の低下、作業性の低下、使用時における使用感の低下を招く傾向があり、３０重量％未満ではその傾向が著しいので好ましくない。また、配合量が８５重量％以上では、粘着性や凝集性が阻害され易く、また、使用前における保型性が低下する傾向があり、９５重量％を超えるとその傾向が著しいので好ましくない。
【００２２】
水溶性高分子としては、ゼラチン、ポリアクリル酸又はその塩、或いは部分中和物等が挙げられ、各々単独或いは２種以上配合することにより使用することが出来る。ポリアクリル酸塩の塩類としては、ナトリウム、リチウム、カリウムなどの金属塩類が好ましく、その平均重合度は１０００〜１０００００のものが好適に用いられる。これら水溶性高分子の配合量としては３〜２５重量％、好ましくは５〜２０重量％、より好ましくは５〜１０重量％において使用される。配合量が５重量％以下になるにつれ製剤の粘着性や凝集性、保型性、吸水能等を低下させ、膏体の不均一化、作業性の低下及び使用感の低下を招く傾向が生じ易く、３重量％未満ではその傾向が著しいので好ましくない。また、配合量が１０重量％以上になるにつれ製剤の粘着性や凝集性、保型性にかけてくるとともに、製造中に過度に粘性が増すとともに、膏体の不均一化、作業性の低下及び使用感の低下を招く傾向が生じ易く、２５重量％を超えるとその傾向が著しいので好ましくない。
【００２３】
架橋剤としては、水難溶性アルミニウム化合物や多官能性エポキシ化合物が単独又は２種以上配合することにより用いられる。水難溶性アルミニウム化合物としては、水酸化アルミニウム、水酸化アルミニウムゲル、含水ケイ酸アルミニウム、合成ケイ酸アルミニウム、カオリン、酢酸アルミニウム、乳酸アルミニウム、ステアリン酸アルミニウム、メタケイ酸アルミン酸マグネシウム、ケイ酸アルミン酸マグネシウムなどが挙げられ、これらの１種若しくは２種以上を配合して用いることができる。水難溶性アルミニウム化合物を用いることにより、制酸作用による皮膚刺激性の抑制効果や微量のアルミニウムイオンによる皮膚収れん作用に加え、初期物性には充填剤としてゲルに適度な強度を与えると共に、経時変化でアルミニウムイオンが製剤内に溶出し、高分子の経時分解及び高分子間共有結合架橋部の経時切断によるゲル強度の低下を補う機能を呈することができる。更にはＰＨ調整によりそのアルミニウム溶出速度を制御することも可能である。
【００２４】
多官能エポキシ化合物としては、ポリエチレングリコールジグリシジルエーテル、エチレングリコールジグリシジルエーテル、グリセリンジグリシジルエーテル、グリセリントリグリシジルエーテル、プロピレングリコールジグリシジルエーテル、ポリグリセロールポリグリシジルエーテル、ソルビトールポリグリシジルエーテル、ソルビタンポリグリシジルエーテル、トリメチロールプロパンポリグリシジルエーテル、ペンタエリスリトールポリグリシジルエーテル、レゾルシノールジグリシジルエーテル、ネオペンチルグリコールジグリシジルエーテルなどが挙げられる。これら多官能性エポキシ化合物の１種若しくは２種以上を配合し用いることができる。多官能性エポキシ化合物を用いることにより、優れた吸水能と保型性を得ることができ、カルボキシル基、アミノ基または水酸基等を有する水溶性高分子と効率よく共有結合を生起し、ゲル強度を高めることができる。  これら架橋剤の配合量としては０．０５〜２０重量％、好ましくは０．５〜１５重量％、より好ましくは１〜１０重量％において使用される。配合量が１重量％以下になるにつれ、製剤の凝集性や保型性、吸水能の低下、製剤物性の経時安定性の低下、作業性の低下、肌への安全性の低下及び使用感の低下を招く傾向を認められ、０．０５重量％未満では特にその傾向が著しいので好ましくない。また、配合量が１０重量％以上になるに従い、粘着性、凝集性、保型性、製造中における過度の粘度増加、ゲル化による膏体の不均一化、作業性の低下、肌への安全性の低下及び使用感の低下を招く傾向が認められ、２０重量％を超えると特にその傾向が著しいので好ましくない。
【００２５】
防腐剤としては、パラオキシ安息香酸エステル（例えば、メチルパラベン、エチルパラベン、プロピルパラベン）、１，２−ペンタンジオール、安息香酸、安息香酸塩、サリチル酸塩、ソルビン酸、ソルビン酸塩、デヒドロ酢酸塩、４−イソプロピル−３−メチルフェノール、２−イソプロピル−５−メチルフェノール、フェノール、ヒノキチオール、クレゾール、２，４，４’−トリクロロ−２’−ヒドロキシジフェニルエーテル、３，４，４’−トリクロロカルバニド、クロロブタノール、塩化ベンザルコニウム、塩化ベンゼトニウム等が挙げられ、これらの１種若しくは２種以上を配合して用いることができる。これらの中でもパラオキシ安息香酸エステルが好ましい。配合量としては、０．００５〜１０重量％、好ましくは０．０１〜５重量％、より好ましくは０．０１〜１重量％において使用される。配合量が０．０１重量％以下になるにつれ、保存中にカビや菌の発生による製剤の腐敗、使用時及び使用後の使用感の低下を招く傾向があり、０．００５重量％未満ではその傾向が著しいので好ましくない。また、配合量が１重量％以上になるにつれ、製剤における粘着性、凝集性に微妙な変化をもたらし、使用感においても刺激や防腐剤臭による不快感等の影響をもたらす傾向があり、１０重量％を超えるとその傾向が著しいので好ましくない。
【００２６】
本発明のシ−ト状貼付剤に用いられる膏体には、上記の基剤成分に加えて、貼付剤の用途に応じ従来公知である薬効成分、美肌成分、保湿成分、酸化防止剤、粘着付与剤、溶解剤、色素、香料、界面活性剤、紫外線吸収剤、無機充填剤及びＰＨ調整剤等を適宜適量配合することができる。
【００２７】
薬効成分としては経皮吸収可能な薬物であれば特に制限されるものではなく、例えばプレドニゾロン、デキサメタゾン、ヒドロコルチゾン、フルオシノロンアセトニド、吉草酸ベタメタゾン、ジプロピオン酸ベタメタゾン、酪酸クロベタゾン、コハク酸プレドニゾロン等のステロイド系抗炎症剤、サリチル酸メチル、サリチル酸グリコール、インドメタシン、ケトプロフェン、ジクロフェナク、イブプロフェン、フルルビプロフェン、フェルビナク、ケトロラク、ロキソプロフェン、スプロフェン、プラノプロフェン、チアプロフェン、フルフェナム酸、テニダップ、アスピリン、アクタリット、ミゾリビン、オキサプロジン、モフェゾラク、エトドラク、オーラノフィン、インドメタシンファネルシル等の非ステロイド系抗炎症剤及びそのエステル誘導体、トラニラスト、アゼラスチン、ケトチフェン、イブジラスト、オキサトミド、エメダスチン、エピナスチン等の抗アレルギー剤、ジフェンヒドラミン、クロルフェニラミン、プロメタジン、トリペレナミン等の抗ヒスタミン剤、クロルプロマジン、ニトラゼパム、ジアゼパム、フェノパルビタール、レセルピン等の中枢神経作用薬、インシュリン、テストステロン、ノルエチステロン、メチルテストステロン、プロゲステロン、エストラジオール等のホルモン剤、クロニジン、レセルピン、硫酸グアネチジン、エホニジピン、アルプレノロール、ニフェジピン等の抗高血圧症剤、ジギトキシン、ジゴキシン等の強心剤、塩酸プロプラノロール、塩酸プロカインアミド、アジマリン、ピンドロール、塩酸ツロブテロール等の抗不整脈用剤、ニトログリセリン、硝酸イソソルビド、塩酸パパベリン、ニフェジピン、ジルチアゼム、ニコランジル等の冠血管拡張剤、リドカイン、プロカイン、塩酸プロカイン、ベンゾカイン、テトラカイン等の局所麻酔剤、モルヒネ、アスピリン、コデイン、アセトアニリド、アミノピリン等の鎮痛剤、チザニジン、エペリゾン、トルペリゾン、イナペリゾン、ダントロレン等の筋弛緩剤、アセトフェニルアミン、ニトロフラゾン、ペンタマイシン、ナフチオメート、ミコナゾール、オモコナゾール、クロトリマゾール、塩酸ブテナフィン等の抗真菌剤、５−フルオロウラシル、ブスルファン、アクチノマイシン、プレオマイシン、マイトマイシン等の抗悪性腫瘍剤、塩酸テロリジン、塩酸オキシブチニン等の尿失禁症剤、ニトラゼパム、メプロバメート等の抗てんかん剤、クロルゾキサゾン、レポドパ、アマンタジン、塩酸セレギリン、塩酸ラノラジン、塩酸ロピニロール等の抗パーキンソン剤、グラニセトロン、アザセトロン、オンダンセトロン、ラモセトロン等の制吐剤、オキシブチン等の頻尿治療剤、ニフェジピン等のＣａ拮抗剤、フェンタニール、モルヒネ、イミビラミン等の向精神薬、ジフェニドール、ベタヒスチン等の抗めまい剤、ベンゾチアゼピン等の心臓・血管系薬剤、ケトチフェン、ツロブテロール、トラニラスト等の鎮咳去痰剤、ビンポセチン、ニセルゴリン、ニコランジル、マレイン酸クレンチアゼム、塩酸ファスジル、塩酸ベニジピン、塩酸エホニジピン等の脳循環改善剤、ドコサヘキサエン酸、塩酸ビンコナート、フマル酸ネブラセタム等の脳血管性痴呆剤、塩酸ドネペジル、塩酸アミリジン、塩酸メマンチン等のアルツハイマー治療剤、ルーティイナイジングホルモン−リリージングホルモン、サイロトロビンリリージングホルモン等のポリペプチド系ホルモン剤、ポリサッカライド類、オーラノフィン、ロベンザリット等の免疫調節剤、ウルソデスオキシコール酸等の利胆剤、ヒドロフルメチアジド等の利尿剤、トルブタミド等の糖尿病用剤、コルヒチン等の痛風治療剤、ニコチン等の禁煙補助剤、更にはビタミン類、プロスタグランジン類、興奮覚醒剤、催眠鎮静剤、自律神経用剤、末梢血管拡張剤等の薬物があげられる。
【００２８】
美肌成分としてはアラントイン、グリチルリチン酸、グリチルリチン酸ジカリウム、パパイン酵素、Ｌ−アルギニン、アルブチン、フラボノイド、コラーゲン、ヨーグルトエキス、レシチン、エラグ酸、アミノ酸類、コウジ酸、タンパク質、糖類、ホルモン類、水溶性プラセンタエキス等の胎盤抽出物、シルク或いはシルク抽出物、またはアロエ、ヘチマ及びカンゾウ等の各種生薬からの抽出成分、またはアシタバエキス、アスパラサスリネアリスエキス、アセンヤクエキス、アボガドエキス、アマチャエキス、アマチャヅルエキス、アルテアエキス、アルニカエキス、アルモンドエキス、アロエエキス、アンソッコウエキス、イザヨイバラエキス、イタドリエキス、イチョウエキス、イラクサエキス、イリス根エキス、ウーロン茶エキス、ウイキョウエキス、ウコンエキス、エイジツエキス、エゾウコギエキス、エチナシ葉エキス、エンドウエキス、オウゴンエキス、オウバクエキス、オウレンエキス、オオアザミエキス、オオバナサルスベリエキス、オオムギエキス、オオムギ発酵エキス、オクラエキス、オトギリソウエキス、オドリコソウエキス、オノニスエキス、オランダカラシエキス、オレンジエキス、オレンジフラワー水、海藻エキス、カキタンニン、カッコンエキス、カノコソウエキス、ガマエキス、カモミラエキス、カモミラ水、カラスムギエキス、カリンエキス、カロットエキス、カワラヨモギエキス、カンゾウ抽出液、キイチゴエキス、ギンナンエキス、バナバ茶エキス、エンジュエキス、ソバエキス、ネロリエキス、モクレンエキス、セイヨウニワトコエキス、ハイビスカスエキス、コケモモエキス、タラエキス、グァバフェノン、クジン、ノゲイトウ、ムクナエキス、メロスリアエキス、ユリ球根エキス、ラズベリーエキス、ルムプヤン、グリーンティーエキス、アップルフェノン、トウキエキス、アプリコットエキス、ティートリーエキス、ピーチエキス、マカデミアオイル、アーモンドオイル、キウイエキス、キナエキス、キューカンバーエキス、キョウニンエキス、クインスシードエキス、クチナシエキス、クマザサエキス、クミンエキス、クララエキス、クルミ殻エキス、グレープフルーツエキス、クレマティスエキス、クロレラエキス、クワエキス、クワ葉エキス、ケイケットウエキス、ケイヒエキス、ゲンチアナエキス、ゲンノショウコエキス、ケンポナシエキス、コーヒーエキス、紅茶エキス、コウホネエキス、ゴボウエキス、コムギ胚芽エキス、コメヌカエキス、コメヌカ発酵エキス、コンフリーエキス、サイシンエキス、サフランエキス、サボンソウエキス、サンザシエキス、サンショウエキス、シイタケエキス、ジオウエキス、シコンエキス、シソエキス、シナノキエキス、シモツケソウエキス、シャクヤクエキス、ジュズダマエキス、ショウキョウエキス、ショウブ根エキス、シラカバエキス、シラカバ樹液、スイカズラエキス、スギナエキス、ステビアエキス、セージエキス、セージ水、セイヨウキズタエキス、セイヨウサンザシエキス、セイヨウニワトコエキス、セイヨウネズエキス、セイヨウノコギリソウエキス、セイヨウハッカエキス、ゼニアオイエキス、セロリエキス、センキュウエキス、センキュウ水センブリエキス、ダイズエキス、タイソウエキス、タイムエキス、チャエキス、チャ実エキス、チョウジエキス、チョレイエキス、チンピエキス、ツバキエキス、ツボクサエキス、デュークエキス、テルミナリアエキス、テンチャエキス、トウガシエキス、トウキエキス、トウキンセンカエキス、トウキ水、冬虫夏草エキス、トウニンエキス、トウヒエキス、トウモロコシエキス、ドクダミエキス、トマトエキス、トルメンチラエキス、納豆エキス、ニンジンエキス、ニンニクエキス、ノバラエキス、バクガエキス、バクガ根エキス、バクモンドウエキス、パセリエキス、蒸留ハッカ水、ハマナシエキス、ハマメリスエキス、ハマメリス抽出液、バラエキス、パリエタリアエキス、ヒキオコシエキス、ヒノキ水、ビャクダンエキス、ビワ葉エキス、フキタンポポエキス、ブクリョウエキス、ブッチャーブルームエキス、ブドウエキス、ブドウ水、ブドウ葉エキス、ブナエキス、プルーンエキス、ヘイフラワーエキス、ヘチマエキス、ヘチマ水、ベニバナエキス、ボタンエキス、ホップエキス、マツエキス、マツリカエキス、マリアアザミエキス、マロニエエキス、ムクロジエキス、ムラサキセンブリエキス、ムラヤコエンジーエキス、メリッサエキス、メリロートエキス、モモ葉エキス、モヤシエキス、ヤグルマギクエキス、ヤグルマキク水、ユーカリエキス、ユーカリ水、ユキノシタエキス、ユズエキス、ユリエキス、ヨクイニンエキス、ヨモギエキス、ヨモギ水、ラベンダーエキス、ラベンダー水、藍藻エキス、リンゴエキス、リンゴ水、レイシエキス、レタスエキス、レモンエキス、レンゲソウエキス、ローズマリーエキス、ローズマリー水、ローズ水、ローマカミツレエキス、ロッグウッドエキス、ワレモコウエキス等の植物性抽出物、またはビタミンＡ、ビタミンＣ、ビタミンＤ、ビタミンＥ及びその他のビタミン類やアスコルビン酸リン酸マグネシウム、アスコルビン酸リン酸ナトリウム、アスコルビン酸−２−グルコシド等のビタミンＣ誘導体等があげられる。或いは塩酸ジフェンヒドラミン、サリチル酸ジフェンヒドラミン、タンニン酸ジフェンヒドラミン、塩酸トリプロリジン、メキタジン、マレイン酸クロルフェニラミン、ｄ−マレイン酸クロルフェニラミン、フマル酸クレマスチン、塩酸プロメタジン、トラニラスト、クロモグリク酸ナトリウム、ケトチフェン、アリルスルファターゼＢ、ブフェキサマック、ベンダザック、フルフェナム酸ブチル、イブプロフェン、インドメタシン、アスピリン、フルルビプロフェン、ケトプロフェン、ピロキシカム及び２−ピリジンメチルメフェナム酸、５，６−デヒドロアラキドン酸、５，６−メタノ−ＬＴＡ４  、エスクレチン、ユーパチリン、４−デメチルユーパチリン、カフェイン酸、ベノキサプロフェン等の美白作用を有する薬物があげられ、１種又は２種以上配合することができる。
【００２９】
保湿成分としてはサクシニルケフィラン水溶液、アセチルケフィラン水溶液、マレイルケフィラン水溶液、麦芽根エキス、エイジツエキス、オレンジエキス、オレンジ果汁、キイチゴエキス、キウイエキス、キューカンバーエキス、クチナシエキス、グレ−プフル−ツエキス、サンザシエキス、サンショウエキス、セイヨウサンザシエキス、セイヨウネズエキス、タイソウエキス、ナツメエキス、デュークエキス、トマトエキス、ブドウエキス、ヘチマエキス、ライム果汁、リンゴエキス、リンゴ果汁、レモンエキス、レモン果汁等を１種又は２種以上配合することができる。また、フルーツエキス（果汁）類は香料としての作用効果も有するものである。
【００３０】
酸化防止剤としてはアスコルビン酸、没食子酸プロピル、ブチルヒドロキシアニソール、ジブチルヒドロキシトルエン、ノルジヒドログアヤレチン酸、トコフェロール、酢酸トコフェロール等を配合することができる。
【００３１】
粘着付与剤としてはカゼイン、プルラン、寒天、デキストラン、アルギン酸ソーダ、可溶性デンプン、カルボキシデンプン、デキストリン、カルボキシメチルセルロース、カルボキシメチルセルロースナトリウム、メチルセルロース、エチルセルロース、ヒドロキシエチルセルロース、ポリビニルアルコール、ポリエチレンオキサイド、ポリアクリルアミド、ポリアクリル酸、ポリビニルピロリドン、カルボキシビニルポリマー、ポリビニルエーテル、ポリマレイン酸共重合体、メトキシエチレン無水マレイン酸共重合体、イソブチレン無水マレイン酸共重合体、ポリエチレンイミン等を配合することができる。
【００３２】
溶解剤としてはベンジルアルコール、ピロチオデカン、ハッカ油、ミリスチン酸イソプロピル、クロタミトン等を配合できる。
【００３３】
色素としては赤色２号（アマランス）、赤色３号（エリスロシン）、赤色１０２号（ニューコクシン）、赤色１０４号の（１）（フロキシンＢ）、赤色１０５号の（１）（ローズベンガル）、赤色１０６号（アシッドレッド）、黄色４号（タートラジン）、黄色５号（サンセットエローＦＣＦ）、緑色３号（ファストグリーンＦＣＦ）、青色１号（ブリリアントブルーＦＣＦ）、青色２号（インジゴカルミン）等の法定色素を配合することができる。特に色素については、限定はされないが、製剤イメージに大きく影響を与え、使用感や肌の活性化感の向上につながるものである。
【００３４】
界面活性剤としてはジオクチルスルホコハク酸ナトリウム、アルキルサルフェート塩、２−エチルヘキシルアルキル硫酸エステルナトリウム塩、ノルマルドデシルベンゼンスルホン酸ナトリウム等の陰イオン界面活性剤、ヘキサデシルトリメチルアンモニウムクロライド、オクタデシルジメチルベンジルアンモニウムクロライド、ポリオキシエチレンドデシルモノメチルアンモニウムクロライド等の陽イオン界面活性剤、ポリオキシエチレンステアリルエーテル、ポリオキシエチレントリデシルエーテル、ポリオキシエチレンノニルフェニルエーテル、ポリオキシエチレンオクチルフェニルエーテル、ポリオキシエチレンモノステアレート、ソルビタンモノステアレート、ソルビタンモノパルミネート、ソルビタンセスキオレエート、ポリオキシエチレンソルビタンモノラウレート、ポリオキシエチレンソルビタンモノオレエート、グリセロールモノステアレート、ポリグリセリン脂肪酸エステル、ポリオキシエチレンオクタデシルアミン等の非イオン界面活性剤が配合できる。
【００３５】
紫外線吸収剤としてはパラアミノ安息香酸、パラアミノ安息香酸エステル、パラジメチルアミノ安息香酸アミル、サリチル酸エステル、アントラニル酸メンチル、ウンベリフェロン、エスクリン、ケイ皮酸ベンジル、シノキサート、グアイアズレン、ウロカニン酸、２−（２−ヒドロキシ−５−メチルフェニル）ベンゾトリアゾール、４−メトキシベンゾフェノン、２−ヒドロキシ−４−メトキシベンゾフェノン、ジオキシベンゾン、オクタベンゾン、ジヒドロキシジメトキシベンゾフェノン、スリソベンゾン、ベンゾレソルシノール、オクチルジメチルパラアミノベンゾエート、エチルヘキシルパラメトキシサイナメート等を配合できる。
【００３６】
無機充填剤としては酸化チタン、タルク、酸化亜鉛、含水シリカ、炭酸マグネシウム、リン酸水素カルシウム、ケイ酸マグネシウム、ケイソウ土、無水ケイ酸、ベントナイト等を配合できる。
【００３７】
ｐＨ調整剤としては酢酸、蟻酸、乳酸、酒石酸、シュウ酸、安息香酸、グリコール酸、リンゴ酸、クエン酸、塩酸、硝酸、硫酸、水酸化ナトリウム、水酸化カリウム、メチルアミン、エチルアミン、プロピルアミン、ジメチルアミン、ジエチルアミン、ジプロピルアミン、トリメチルアミン、トリエチルアミン、トリプロピルアミン、モノメタノールアミン、モノエタノールアミン、モノプロパノールアミン、ジメタノールアミン、ジエタノールアミン、ジプロパノールアミン、トリメタノールアミン、トリエタノールアミン、トリプロパノールアミン等が配合できる。
【００３８】
前述の各成分を適宜適量配合した膏体のｐＨ値は皮膚に刺激を与えないように配慮することが望まれ、膏体のｐＨが４〜８、より好ましくは５〜７の範囲であることが好ましい。
【００３９】
本発明のシート状貼付剤の製造方法としては、前述した成分を撹拌下、均一に混合及び／又は溶解し、これを非染色または染色した前述の支持体上に展延し、その上から剥離性フィルムを貼着して適宜所定の形状に裁断したり、ロール状にすることにより製するものである。なお、シ−ト状貼付剤は、保存中の汚染、揮発性物質の蒸散等による効果の減少等を防止する意味から、使用時まで密封性の袋または容器に保管しておくことが望ましい。
【００４０】
かくして得られた本発明のシート状貼付剤は、貼付剤自体の引張強さの最大強度が２０〜１５０Ｎ／５０ｍｍとなっていることが望ましく、また、引裂強さの最大荷重が１〜１５Ｎとなっていることが望ましい。
【００４１】
以上の構成よりなる本発明のシ−ト状貼付剤は、肌に対して安全で、使用感が良く、且つ患部に対する冷却作用は勿論、優れた作用効果を示し、しかも剥離用フィルムが貼着した製品状態で必要なサイズを容易に手でちぎって使用することができ、切り残り部分も安定に使用・保存できるものである。
本発明のシート状貼付剤は、例えば湿布用貼付剤等として用いた場合に、特に効果的である。
【００４２】
【実施例】
以下、実施例及び試験例により本発明を更に詳しく説明するが、本発明はこれら実施例、試験例により何ら限定されるものではない。
【００４３】
実施例１
精製水５８．２５重量％、合成ケイ酸アルミニウム１重量％、酸化チタン１重量％、ゼラチン２．５重量％、メチルパラベン０．１重量％、プロピルパラベン０．０５重量%、ポリビニルアルコール２．５重量％、グリセリン２５重量％、ポリグリセロールポリグリシジルエーテル０．０５重量％、ポリアクリル酸３重量％、ポリアクリル酸部分中和物３重量％、サリチル酸グリコール１．２５重量％、ｌ−メントール１重量％、酢酸トコフェロール１重量％、ｄｌ−カンフル０．３重量％を均一に分散・溶解するまで攪拌した。次に、これを１０００ｇ／ｍ２の割合になるように下記の支持体上に展延し、これに下記の剥離性フィルムを貼着した。その後、５ｃｍ×３０ｃｍに裁断し、シート状貼付剤１を得た。
支持体
（組成）ポリエステル
（繊維長）３８ｍｍ
（引張強さ）１３Ｎ／５０ｍｍ
（最大荷重時伸度）１５％
（目  付）８０ｇ／ｍ２
剥離性フィルム
（組  成）エチレン−酢酸ビニル共重合体
（穴口径）７０μｍ
（縦方向穴中心の間隔）１０００μｍ
（横方向穴中心の間隔）１０００μｍ
（引張強さ）２５Ｎ／５０ｍｍ
（厚み）７６μｍ
【００４４】
実施例２
支持体及び剥離フィルムを下記のものに代えた以外は、実施例１と同様にしてシート状貼付剤２を製造した。
支持体
（組成）レーヨン＋パルプ（１：１）
（繊維長）レーヨン５０ｍｍ＋パルプ１．５ｍｍ
（引張強さ）３１Ｎ／５０ｍｍ
（最大荷重時伸度）７７％
（目  付）８０ｇ／ｍ２
剥離性フィルム
（組  成）エチレン−酢酸ビニル共重合体
（穴口径）１４５μｍ
（縦方向穴中心の間隔）１０００μｍ
（横方向穴中心の間隔）１０００μｍ
（引張強さ）３３Ｎ／５０ｍｍ
（厚み）１０２μｍ
【００４５】
実施例３
精製水７９．０２重量％、ゼラチン０．５重量％、メチルパラベン０．２重量％、プロピルパラベン０．０５重量%、プロピレングリコール５重量％、グリセリン５重量％、エチレングリコールジグリシジルエーテル０．０２重量％、ポリアクリル酸部分中和物５重量％、グリチルリチン酸ジカリウム０．１重量％、酢酸トコフェロール０．１重量％、酢酸アルミニウム０．０１重量％、合成ケイ酸アルミニウム５重量％を均一に分散・溶解するまで攪拌した。次に、これを７１４ｇ／ｍ２の割合になるように下記の支持体上に展延し、これに下記の剥離性フィルムを貼着した。その後、５ｃｍ×３０ｃｍに裁断し、シート状貼付剤３を得た。
支持体
（組成）ポリエステル
（繊維長）３８ｍｍ
（引張強さ）１３Ｎ／５０ｍｍ
（最大荷重時伸度）１５％
（目  付）８０ｇ／ｍ２
剥離性フィルム
（組  成）ポリエチレン
（穴口径）１０μｍ
（縦方向穴中心の間隔）１００μｍ
（横方向穴中心の間隔）１０００μｍ
（引張強さ）２４Ｎ／５０ｍｍ
（厚み）７６μｍ
【００４６】
実施例４
精製水３４．８重量％、グリセリン３０重量％、メチルパラベン０．１重量％、カオリン１重量％、ゼラチン２重量％、ソルビタンポリグリシジルエーテル０．０５重量％、ポリアクリル酸４重量％、ポリアクリル酸部分中和物３．５重量％、合成ケイ酸アルミニウム０．５重量％、ポリビニルピロリドン３重量％、ポリエチレングリコール１５重量％、プロピレングリコール５重量％、ケトプロフェン０．３重量％、ｌ−メントール０．３重量％、クロタミトン０．２５重量％、オキシベンゾン０．２重量％を均一に分散・溶解するまで攪拌した。次に、これを５００ｇ／ｍ２の割合になるように下記の支持体上に展延し、これに下記の剥離性フィルムを貼着した。その後、５ｃｍ×３０ｃｍに裁断し、シート状貼付剤４を得た。
支持体
（組成）ポリエステル
（繊維長）３８ｍｍ
（引張強さ）１３Ｎ／５０ｍｍ
（最大荷重時伸度）１５％
（目  付）８０ｇ／ｍ２
剥離性フィルム
（組  成）ポリプロピレン
（穴口径）７０μｍ
（縦方向穴中心の間隔）１０００μｍ
（横方向穴中心の間隔）２０００μｍ
（引張強さ）１１Ｎ／５０ｍｍ
（厚み）２４μｍ
【００４７】
実施例５
支持体及び剥離フィルムを下記のものに代えた以外は、実施例４と同様にしてシート状貼付剤５を製造した。
支持体
（組成）ポリエステル
（繊維長）３８ｍｍ
（引張強さ）１３Ｎ／５０ｍｍ
（最大荷重時伸度）１５％
（目  付）８０ｇ／ｍ２
剥離性フィルム
（組  成）エチレン−酢酸ビニル共重合体
（穴口径）７０μｍ
（縦方向穴中心の間隔）１０００μｍ
（横方向穴中心の間隔）１０００μｍ
（引張強さ）４８Ｎ／５０ｍｍ
（厚み）１５０μｍ
【００４８】
実施例６
支持体及び剥離フィルムを下記のものに代えた以外は、実施例４と同様にしてシート状貼付剤６を製造した。
支持体
（組成）ポリエステル
（繊維長）３８ｍｍ
（引張強さ）４６Ｎ／５０ｍｍ
（最大荷重時伸度）９５％
（目  付）２００ｇ／ｍ２
剥離性フィルム
（組  成）ポリエチレンテレフタレート／エチレン−酢酸ビニル共重合体
（穴口径）７０μｍ
（縦方向穴中心の間隔）５００μｍ
（横方向穴中心の間隔）１０００μｍ
（引張強さ）９７Ｎ／５０ｍｍ
（厚み）３０μｍ
【００４９】
実施例７
支持体及び剥離フィルムを下記のものに代えた以外は、実施例４と同様にしてシート状貼付剤７を製造した。
支持体
（組成）ポリエステル
（繊維長）７６ｍｍ
（引張強さ）３Ｎ／５０ｍｍ
（最大荷重時伸度）３％
（目  付）２０ｇ／ｍ２
剥離性フィルム
（組  成）エチレン−酢酸ビニル共重合体
（穴口径）１２００μｍ
（縦方向穴中心の間隔）２０００μｍ
（横方向穴中心の間隔）２０００μｍ
（引張強さ）２１Ｎ／５０ｍｍ
（厚み）１５０μｍ
【００５０】
比較例１
支持体及び剥離フィルムを下記のものに代えた以外は、実施例１と同様にしてシート状貼付剤Ｃを製造した。
支持体
（組成）ポリエステル
（繊維長）５０ｍｍ
（引張強さ）１５Ｎ／５０ｍｍ
（最大荷重時伸度）２１４％
（目  付）１００ｇ／ｍ２
剥離性フィルム
（組  成）ポリエチレンテレフタレート
（穴口径）０μｍ
（縦方向穴中心の間隔）０μｍ
（横方向穴中心の間隔）０μｍ
（引張強さ）１４３Ｎ／５０ｍｍ
（厚み）１６μｍ
【００５１】
試験例１  引張強さ試験
シート状貼付剤１、２、３、４、５、６、７及びＣについて引張強さ試験を実施した。試験は原則としてＪＩＳ  Ｌ１９１２『医療用不織布試験方法』の「引張強さ及び伸び率」記載の方法に準じ、試料幅５０ｍｍ、つかみ間隔５０ｍｍ及び引張速度３００ｍｍ／ｍｉｎの条件で測定した。
なお、試験は各試料につき５回測定し、その平均値を算出した。表１に試験結果を示す。
【００５２】
【表１】
0004073231.tif 000002
【００５３】
試験例２  引裂強さ試験
シート状貼付剤１、２、３、４、５、６、７及びＣについて引裂強さ試験を実施した。試験は原則としてＪＩＳ  Ｌ１９１２『医療用不織布試験方法』の「引裂強さ」記載のトラペゾイド法に準じ、試料幅５０ｍｍ、つかみ間隔１００ｍｍ及び引張速度１００ｍｍ／ｍｉｎの条件で測定した。
なお、試験は各試料につき５回測定し、その平均値を算出した。表２に試験結果を示す。
【００５４】
【表２】
0004073231.tif 000003
【００５５】
試験例３  官能試験
シート状貼付剤１、２、３、４、５、６、７及びＣについてそれぞれ１０名ずつの被験者を用い、官能試験を実施した。被験者に１枚のサンプル（剥離性フィルム付き）を渡し、そのまま好きなサイズにちぎらせた後、肩に６時間貼付させ絶対評価を行った。その後、被験者に〔手切れ性〕〔切断面の外観〕〔使用感〕の項目について評価させた。表３に「手切れ性」、表４に「切断面の外観」、表５に「使用感」の試験結果を示す。
【００５６】
【表３】
0004073231.tif 000004
【００５７】
【表４】
0004073231.tif 000005
【００５８】
【表５】
0004073231.tif 000006
【００５９】
試験例４  皮膚安全性試験
シート状貼付剤１、３、４及びＣについて、４８時間クローズドパッチテストを実施した。試験は男女３０名の上腕内側にそれぞれのサンプルを４８時間貼付し、剥離１時間後、剥離２４時間後の皮膚刺激を判定した。表６に試験結果を示す。
【００６０】
【表６】
0004073231.tif 000007
【００６１】
上記官能試験の結果から、本発明のシート状貼付剤は肌に対して安全で、使用感が良く、且つ患部に対する冷却作用は勿論、優れた作用効果を示し、しかも剥離用フィルムが貼着した製品状態で必要なサイズを容易に手でちぎって使用することができ、切り残り部分も安定に使用・保存できるものであることが判明した。
【００６２】
【発明の効果】
本発明のシート状貼付剤は肌に対して安全で、使用感が良く、且つ患部に対する冷却作用は勿論、優れた作用効果を示し、しかも剥離用フィルムが貼着した製品状態で必要なサイズを容易に手でちぎって使用することができ、切り残り部分も安定に使用・保存できるので、衛生的且つ経済性にも優れており、また、皮膚に対して安全であるため、損傷部位の治療や整肌及び美容等のために用いることが出来、医薬品、医薬部外品及び化粧品分野での応用が可能であり、産業上極めて有用なものである。